(57)【要約】【課題】効率的に加湿が行え、ランニングコストが低く、コンパクトで設置する浴室をやボイラー等の熱源を限定しないサウナ装置を提供する。【解決手段】空気を加熱加湿する加湿部１に、温水を循環供給する加湿水循環回路２を接続するとともに、送風機１０９によって空気を供給する。加湿部１を水蒸気透過性を有する透湿膜により構成し、加湿部１において、送風機１０９により加湿部１に供給された空気を透湿膜を挟んで透湿膜の一方側に流通させるとともに、加湿水循環回路２より加湿部１に供給された温水を透湿膜の他方に流通させることで、送風機１０９により供給された空気に加湿水循環回路２より供給された温水から透湿膜を介して水蒸気を供給する。【選択図】  図２
2005021427.tif 000002
【特許請求の範囲】
【請求項１】
空気を加熱加湿する加湿部と、前記加湿部へ空気を供給し前記加湿部通過後の高温高湿空気を外部へ吹き出す送風機と、装置外の空気を吸込む吸込み口と、前記加湿部で加熱加湿した高温高湿の空気を装置外に吹出す吹出し口と、前記加湿部へ温水を循環供給する加湿温水回路と、前記加湿温水回路内部の温水を循環させる温水循環手段と、外部の熱源から供給される熱と前記加湿温水回路内部の温水との間で熱交換を行い前記加湿温水回路内部の温水を加熱する熱交換器を備え、前記加湿部が水蒸気透過性を有する透湿膜より構成され、前記加湿部において、前記送風機により前記加湿部に供給された空気を前記透湿膜を挟んで前記透湿膜の一方側に流通させるとともに、前記加湿温水回路より前記加湿部に供給された温水を前記透湿膜の供給空気とは他方側に流通させることで、前記送風機により供給された空気に前記加湿温水回路より供給された温水から前記透湿膜を介して水蒸気を供給することを特徴とするサウナ装置。
【請求項２】
前記加湿部が透湿性を有する材料を用いた中空糸で構成したことを特徴とする請求項１記載のサウナ装置。
【請求項３】
前記加湿部が透湿性を有する材料を用いた中空糸を少なくとも複数本束ねた中空糸束をケーシング内に収納し両端部を前記中空糸の内側と外側の流路が連通しないように封止し、前記中空糸の内部もしくは外部のいずれか一方に空気を供給し、他方に温水を供給することで前記中空糸を介して水蒸気を移行させることで加湿を行うことを特徴とする請求項１に記載のサウナ装置。
【請求項４】
加湿部における加湿量が最大となるように温水の循環量を変化させる循環量化変手段を備えた事を特徴とする請求項１、２、３に記載のサウナ装置。
【請求項５】
前記吹出し口に、前記吹出し口から吹出される高温高湿の空気の温度を検知するための温度検知手段を設け、前記温度検知手段が検知した吹出し空気温度をもとに前記温水循環手段の温水循環量を変化させる事を特徴とする請求項４に記載のサウナ装置。
【請求項６】
前記吹出し口に、前記吹出し口から吹出される高温高湿の空気の湿度を検知するための湿度検知手段を設け、前記湿度検知手段が検知した吹出し空気の湿度をもとに前記温水循環手段の温水循環量を変化させる事を特徴とする請求口４に記載のサウナ装置。
【請求項７】
前記吸込み口に、前記吸込み口から吸込まれる浴室内空気の温度を検知するための温度検知手段を設け、前記温度検知手段が検知した吸込み空気温度をもとに前記温水循環手段の温水循環量を変化させる事を特徴とする請求項４に記載のサウナ装置。
【請求項８】
前記温水回路内の前記加湿部入口及び出口部の少なくとも一方に前記加湿温水回路内を循環する温水の温度を検知する温水温度検知手段を設け、前記加湿温水温度検知手段が検知した加湿部入口、及び出口部における温水温度のうち少なくとも一方をもとに前記加湿温水循環手段の温水循環量を変化させる事を特徴とする請求項４に記載のサウナ装置。
【請求項９】
前記送風機の送風量を検知する送風量検知手段を設け、前記送風量検知手段が検知した送風量をもとに前記温水循環手段の温水循環量を変化させる事を特徴とする請求項４に記載のサウナ装置。
【請求項１０】
前記送風機の送風圧力を検知する送風圧検知手段を設け、前記送風圧検知手段が検知した送風圧をもとに前記温水循環手段の温水循環量を変化させる事を特徴とする請求項４に記載のサウナ装置。
【請求項１１】
浴室外の外気温を測定する外気温検知手段を設け、前記外気温検知手段により検知した外気温をもとに前記温水循環手段の温水循環量を変化させることを特徴とする請求項４に記載のサウナ装置。
【請求項１２】
前記熱源から供給される熱媒体の温度を検知する熱媒体温度検知手段を設け、前記熱媒体温度検知手段により検知した熱媒体の温度をもとに前記温水循環手段の温水循環量を変化させる事を特徴とする請求項４に記載のサウナ装置。
【請求項１３】
昇温された熱媒体を前記熱交換器に供給する事で前記サウナ装置に熱を供給する熱源に前記サウナ装置を接続し、前記サウナ装置内に前記熱源から供給される熱媒体の供給量を制御するための熱媒体流量調整手段を設けた事を特徴とする請求項１に記載のサウナ装置。
【請求項１４】
前記熱媒体流量調整手段が、熱媒体の流量を常に一定に保つ事を特徴とする請求項１３に記載のサウナ装置。
【発明の詳細な説明】
【０００１】
【発明の属する技術分野】
本発明は、浴室内で加湿、昇温することで従来の浴室をサウナとして使用するための浴室サウナ装置に関する。
【０００２】
【従来の技術】
従来、この種の浴室サウナ装置は浴室側壁内部に設置され、ボイラーなどの熱源を利用して加湿、加熱を行うものが知られている（例えば、特許文献１参照）。
【０００３】
以下、その浴室サウナ装置について図を参照しながら説明する。
【０００４】
図６に示すように、図中１０１はスチームサウナ装置を構成するスチームサウナユニット本体で、このスチームサウナ本体１０１は浴室を形成するユニットバスルーム１０２のカウンタ部１０３内に設置されている。
【０００５】
前記スチームサウナユニット本体１０１は図７及び図８に示すように、外装体１０４を備え、この外装体１０４の前面中央部には、外部から空気Ａを吸入する空気吸入口１０５が、また、その下部にはスチーム吹出口１０６がそれぞれ開口されていると共に、このスチーム吹出口１０６には蒸気Ｓの噴出し方向を調整する風向調整板が設けられている。
【０００６】
さらに、前記外装体１０４の内部には噴出湯管１０７が上部位置に配置され、この噴出湯管１０７の下部には、熱交換促進部材１０８が配置されていると共に、この熱交換促進部材１０８の下部背面にはモータ駆動のファンユニット１０９が配置されている。
【０００７】
前記熱交換促進部材１０８は、上部１０８ａが前記外装体１０４の公報に位置するように傾斜し、かつ、その外装体１０４内の前方に位置する下部１０４ｂの背面側に前記ファンユニット１０９を配置している。
【０００８】
また、前記外装体１０４の下部で熱交換促進部材１０８の下方には排湯を受けるドレンパン１１０が設置され、ドレンパン１１０には内部にたまった排湯を排水するための排水口１１１が設けられている。
【０００９】
熱交換促進部材１０８はフィンチューブ式の熱交換器であり、配管内にボイラーなどの熱源から供給される高温の温水を流通させる事で外部を流通する流体と熱交換を行い加熱する。
【００１０】
噴出湯管１０７には複数の湯噴出口１１２が設けられており、給湯配管（図示せず）に接続される給湯口１１３から定流量弁１１４及び電磁弁１１５を介して噴出湯管１０７に温水を供給されることで湯噴出口１１２から熱交換促進部材１０８の上部に放散させ、熱交換促進部材１０８に流下した温水の一部が熱交換促進部材１０８内を流れる高温の温水と熱交換を行う事で蒸発し、この蒸発によって発生する蒸気Ｓをファンユニット１０９によってスチーム吹出口１０６から吹出す。
【００１１】
【特許文献１】
特開平６−６３１０３号公報
【００１２】
【発明が解決しようとする課題】
このような従来の浴室サウナ装置では、熱交換促進部材上で温水を蒸発させるためには熱交換促進部材の表面積を大きくすると共に、温水を流下させる距離を比較的長くする必要があり、装置の鉛直方向の寸法を小さくする事が難しく、設置できる浴室が限定される事に加え、熱交換面積を大きくする事が難しいため、得られる加湿量が少ないという課題があり、加湿部の寸法を比較的小さくし、多種多様な浴室に設置可能でありながら、多くの加湿量が得られる加湿部を搭載した浴室サウナ装置が要望されていた。
【００１３】
本発明はこのような従来の課題を解決するものであり、比較的コンパクトで、設置可能な浴室を限定せず、多くの加湿量が得られる加湿部を搭載した浴室サウナ装置を提供する事を目的としている。
【００１４】
また、熱交換促進部材上を流下する温水が熱交換促進部材上を流下し終わるまでに完全には蒸発しきらないため、熱交換を行って温度が上昇した温水をドレンとして排水してしまうため、熱源の熱を廃棄する事になり効率が悪いと言う課題があり、熱源の熱を無駄に廃棄することなく効率の良い加湿を行う加湿部を搭載した浴室サウナ装置が要望されていた。
【００１５】
本発明は、このような従来の課題を解決するものであり、温水を無駄に廃棄することなく、効率の良い加湿を行う事が可能な加湿部を搭載した浴室サウナ装置を提供する事を目的している。
【００１６】
【課題を解決するための手段】
本発明の浴室サウナ装置は上記目的を達成するために、空気を加熱加湿する加湿部と、前記加湿部へ空気を供給し前記加湿部通過後の高温高湿空気を外部へ吹き出す送風機と、装置外の空気を吸込む吸込み口と、前記加湿部で加熱加湿した高温高湿の空気を装置外に吹出す吹出し口と、前記加湿部へ温水を循環供給する加湿温水回路と、前記加湿温水回路内部の温水を循環させる温水循環手段と、外部の熱源から供給される熱と前記加湿温水回路内部の温水との間で熱交換を行い前記加湿温水回路内部の温水を加熱する熱交換器を備え、前記加湿部が水蒸気透過性を有する透湿膜より構成され、前記加湿部において、前記送風機により前記加湿部に供給された空気を前記透湿膜を挟んで前記透湿膜の一方側に流通させるとともに、前記加湿温水回路より前記加湿部に供給された温水を前記透湿膜の供給空気とは他方側に流通させることで、前記送風機により供給された空気に前記加湿温水回路より供給された温水から前記透湿膜を介して水蒸気を供給するようにしたものである。
【００１７】
本発明によれば、比較的コンパクトで設置可能な浴室を限定せず、多くの加湿量を得ることができ、また、熱源からの熱を無駄に捨てる事が無く、効率の良い加熱加湿を行う事が可能となる。
【００１８】
また本発明の浴室サウナ装置は、加湿部を透湿性を有する材料を用いた中空糸で構成したものである。
【００１９】
本発明によれば、比較的コンパクトで設置可能な浴室を限定せず、多くの加湿量を得る事ができ、また、熱源からの熱を無駄に捨てる事が無く、効率の良い加熱加湿を行う事が可能となる。
【００２０】
また本発明によれば、加湿部を透湿性を有する材料を用いた中空糸を少なくとも複数本束ねた中空糸束をケーシング内に収納し両端部を前記中空糸の内側と外側の流路が連通しないように封止し、前記中空糸の内部もしくは外部のいずれか一方に空気を供給し、他方に温水を供給することで中空糸を介して水蒸気を移行させるようにしたものである。
【００２１】
本発明によれば、比較的コンパクトで設置可能な浴室を限定せず、多くの加湿量を得る事ができ、また、熱源からの熱を無駄に捨てる事が無く、効率の良い加熱加湿を行う事が可能となる。
【００２２】
また本発明によれば、温水循環手段が、加湿部における加湿量が最大となるように温水の循環量を変化させるようにしたものである。
【００２３】
本発明によれば、加湿用の温水循環手段が温水の循環量を変化させる事で加湿部における加湿量を常に最大の状態に保つ事が可能となり、浴室内の加熱及び加湿を効率よく行う事が可能となる。
【００２４】
また本発明によれば、吹出し口に、吹出し口から吹出される高温高湿の空気の温度を検知するための温度検知手段を設け、温度検知手段が検知した吹出し空気温度をもとに温水循環手段の温水循環量を変化させるようにしたものである。
【００２５】
本発明によれば、吹出し空気の温度によって温水循環手段の温水循環量を変化させる事で加湿部における加湿量を最大にする事が可能となり、浴室内の加熱及び加湿を効率よく行う事が可能となる。
【００２６】
また本発明によれば、吹出し口に、吹出し口から吹出される高温高湿の空気の湿度を検知するための湿度検知手段を設け、湿度検知手段が検知した吹出し空気の湿度をもとに温水循環手段の温水循環量を変化させるようにしたものである。
【００２７】
本名発明によれば、吹出し空気の湿度によって温水循環手段の温水循環量を変化させる事で加湿部における加湿量を最大にする事が可能となり、浴室内の加熱及び加湿を効率よく行う事が可能となる。
【００２８】
また本発明によれば、吸込み口に、前記吸込み口から吸込まれる浴室内空気の温度を検知するための温度検知手段を設け、温度見地手段が検知した吸込み空気温度をもとに温水循環手段の温水循環量を変化させるようにしたものである。
【００２９】
本発明によれば、吸込み空気の温度によって温水循環手段の温水循環量を変化させる事で加湿部における加湿量を最大にする事が可能となり、浴室内の加熱及び加湿を効率よく行う事が可能となる。
【００３０】
また本発明によれば、加湿温水回路内の加湿部入口及び出口部の少なくとも一方に加湿温水回路内を循環する温水の温度を検知する温水温度検知手段を設け、温水温度検知手段が検知した加湿部入口、及び出口部における温水温度のうち少なくとも一方をもとに温水循環手段の温水循環量を変化させる事を特徴とするようにしたものである。
【００３１】
本発明によれば、加湿温水回路内の加湿部入口及び出口部における温水温度によって温水循環手段の温水循環量を変化させる事で加湿部における加湿量を最大にする事が可能となり、浴室内の加熱および加湿を効率よく行う事が可能となる。
【００３２】
また本発明によれば、送風機の送風量を検知する送風量検知手段を設け、送風量検知手段が検知した送風量をもとに温水循環手段の温水循環量を変化させるようにしたものである。
【００３３】
本発明によれば、送風機の送風量によって温水循環手段の温水循環量を変化させる事で加湿部における加湿量を最大にする事が可能となり、浴室内の加熱及び加湿を効率よく行う事が可能となる。
【００３４】
また本発明によれば、送風機の送風圧力を検知する送風圧検知手段を設け、送風圧検知手段が検知した送風圧をもとに温水循環手段の温水循環量を変化させるようにしたものである。
【００３５】
本発明によれば、送風機の送風圧力によって温水循環手段の温水循環量を変化させる事で加湿部における加湿量を最大にする事が可能となり、浴室内の加熱及び加湿を効率よく行う事が可能となる。
【００３６】
また本発明によれば、浴室外の外気温を測定する外気温検知手段を設け、外気温検知手段により検知した外気温をもとに温水循環手段の温水循環量を変化させるようにしたものである。
【００３７】
本発明によれば、浴室外の外気温によって温水循環手段の温水循環量を変化させる事で加湿部における加湿量を最大にする事が可能となり、浴室内の加熱及び加湿を効率よく行う事が可能となる。
【００３８】
また本発明によれば、熱源から供給される熱媒体の温度を検知する熱媒体温度検知手段を設け、熱媒体温度検知手段により検知した熱媒体の温度をもとに温水循環手段の温水循環量を変化させるようにしたものである。
【００３９】
本発明によれば、熱源からの熱媒体の温度によって温水循環手段の温水循環量を変化させる事で加湿部における加湿量を最大にする事が可能となり、浴室内の加熱及び加湿を効率よく行う事が可能となる。
【００４０】
また本発明によれば、昇温された熱媒体を熱交換器に供給する事で前記サウナ装置に熱を供給する熱源にサウナ装置を接続し、サウナ装置内に熱源から供給される熱媒体の供給量を制御するための熱媒体流量調整手段を設けたものである。
【００４１】
本発明によれば、熱源から供給される熱媒体の流量を変化させる事で熱交換器における熱交換効率を常に最大になるようにする事が可能となり、浴室内の加熱及び加湿を効率よく行う事が可能となる。
【００４２】
また本発明によれば、熱媒体流量調整手段が、熱媒体の流量を常に一定に保つようにしたものである。
【００４３】
本発明によれば、熱源の種類や熱源からサウナ装置までの接続配管の差異による熱媒体の流量の違いを無くし、常に一定の供給量を得る事が出来るため、熱交換器における熱交換量を容易に調整する事が可能となる。
【００４４】
【発明の実施の形態】
本発明の請求項１記載の発明は、空気を加熱加湿する加湿部と、前記加湿部へ空気を供給し前記加湿部通過後の高温高湿空気を外部へ吹き出す送風機と、装置外の空気を吸込む吸込み口と、前記加湿部で加熱加湿した高温高湿の空気を装置外に吹出す吹出し口と、前記加湿部へ温水を循環供給する加湿温水回路と、前記加湿温水回路内部の温水を循環させる温水循環手段と、外部の熱源から供給される熱と前記加湿温水回路内部の温水との間で熱交換を行い前記加湿温水回路内部の温水を加熱する熱交換器を備え、前記加湿部が水蒸気透過性を有する透湿膜より構成され、前記加湿部において、前記送風機により前記加湿部に供給された空気を前記透湿膜を挟んで前記透湿膜の一方側に流通させるとともに、前記加湿温水回路より前記加湿部に供給された温水を前記透湿膜の供給空気とは他方側に流通させることで、前記送風機により供給された空気に前記加湿温水回路より供給された温水から前記透湿膜を介して水蒸気を供給することを特徴とするサウナ装置であり、比較的コンパクトで設置可能な浴室を限定せず、多くの加湿量を得ることができ、また、熱源からの熱を無駄に捨てる事が無く、効率の良い加熱加湿を行う事が可能となる。
【００４５】
また、加湿部が透湿性を有する材料を用いた中空糸で構成したことを特徴とするサウナ装置であり、比較的コンパクトで設置可能な浴室を限定せず、多くの加湿量を得る事ができ、また、熱源からの熱を無駄に捨てる事が無く、効率の良い加熱加湿を行う事が可能となる。
【００４６】
また、加湿部が透湿性を有する材料を用いた中空糸を少なくとも複数本束ねた中空糸束をケーシング内に収納し両端部を中空糸の内側と外側の流路が連通しないように封止し、中空糸の内部もしくは外部のいずれか一方に空気を供給し、他方に温水を供給することで中空糸を介して水蒸気を移行させることで加湿を行うようにしたサウナ装置であり、比較的コンパクトで設置可能な浴室を限定せず、多くの加湿量を得る事ができ、また、熱源からの熱を無駄に捨てる事が無く、効率の良い加熱加湿を行う事が可能となる。
【００４７】
また、温水循環手段が、加湿部における加湿量が最大となるように温水の循環量を変化させるようにしたものであり、加湿用の温水循環手段が温水の循環量を変化させる事で加湿部における加湿量を常に最大の状態に保つ事が可能となり、浴室内の加熱及び加湿を効率よく行う事が可能となる。
【００４８】
また、吹出し口に、吹出し口から吹出される高温高湿の空気の温度を検知するための温度検知手段を設け、温度検知手段が検知した吹出し空気温度をもとに温水循環手段の温水循環量を変化させるようにしたものであり、吹出し空気の温度によって温水循環手段の温水循環量を変化させる事で加湿部における加湿量を最大にする事が可能となり、浴室内の加熱及び加湿を効率よく行う事が可能となる。
【００４９】
また、吹出し口に、吹出し口から吹出される高温高湿の空気の湿度を検知するための湿度検知手段を設け、湿度検知手段が検知した吹出し空気の湿度をもとに温水循環手段の温水循環量を変化させるようにしたものであり、吹出し空気の湿度によって温水循環手段の温水循環量を変化させる事で加湿部における加湿量を最大にする事が可能となり、浴室内の加熱及び加湿を効率よく行う事が可能となる。
【００５０】
また、吸込み口に、吸込み口から吸込まれる浴室内空気の温度を検知するための温度検知手段を設け、温度検知手段が検知した吸込み空気温度をもとに温水循環手段の温水循環量を変化させるようにしたものであり、吸込み空気の温度によって温水循環手段の温水循環量を変化させる事で加湿部における加湿量を最大にする事が可能となり、浴室内の加熱及び加湿を効率よく行う事が可能となる。
【００５１】
また、温水回路内の加湿部入口及び出口部の少なくとも一方に加湿温水回路内を循環する温水の温度を検知する温水温度検知手段を設け、加湿温水温度検知手段が検知した加湿部入口、及び出口部における温水温度のうち少なくとも一方をもとに加湿温水循環手段の温水循環量を変化させるようにしたものであり、加湿温水回路内の加湿部入口及び出口部における温水温度によって温水循環手段の温水循環量を変化させる事で加湿部における加湿量を最大にする事が可能となり、浴室内の加熱および加湿を効率よく行う事が可能となる。
【００５２】
また、送風機の送風量を検知する送風量検知手段を設け、送風量検知手段が検知した送風量をもとに温水循環手段の温水循環量を変化させるようにしたものであり、送風機の送風量によって温水循環手段の温水循環量を変化させる事で加湿部における加湿量を最大にする事が可能となり、浴室内の加熱及び加湿を効率よく行う事が可能となる。
【００５３】
また、送風機の送風圧力を検知する送風圧検知手段を設け、送風圧検知手段が検知した送風圧をもとに温水循環手段の温水循環量を変化させるようにしたものであり、送風機の送風圧力によって温水循環手段の温水循環量を変化させる事で加湿部における加湿量を最大にする事が可能となり、浴室内の加熱及び加湿を効率よく行う事が可能となる。
【００５４】
また、浴室外の外気温を測定する外気温検知手段を設け、前記外気温検知手段により検知した外気温をもとに前記温水循環手段の温水循環量を変化させるようにしたものであり、浴室外の外気温によって温水循環手段の温水循環量を変化させる事で加湿部における加湿量を最大にする事が可能となり、浴室内の加熱及び加湿を効率よく行う事が可能となる。
【００５５】
また、熱源から供給される熱媒体の温度を検知する熱媒体温度検知手段を設け、熱媒体温度検知手段により検知した熱媒体の温度をもとに温水循環手段の温水循環量を変化させるようにしたものであり、熱源からの熱媒体の温度によって温水循環手段の温水循環量を変化させる事で加湿部における加湿量を最大にする事が可能となり、浴室内の加熱及び加湿を効率よく行う事が可能となる。
【００５６】
また、昇温された熱媒体を熱交換器に供給する事でサウナ装置に熱を供給する熱源にサウナ装置を接続し、サウナ装置内に熱源から供給される熱媒体の供給量を制御するための熱媒体流量調整手段を設けたものであり、熱源から供給される熱媒体の流量を変化させる事で熱交換器における熱交換効率を常に最大になるようにする事が可能となり、浴室内の加熱及び加湿を効率よく行う事が可能となる。
【００５７】
また、熱媒体流量調整手段が、熱媒体の流量を常に一定に保つようにしたものであり、熱源の種類や熱源からサウナ装置までの接続配管の差異による熱媒体の流量の違いを無くし、常に一定の供給量を得る事が出来るため、熱交換器における熱交換量を容易に調整する事が可能となる。
【００５８】
以下、本発明の実施例について図面を参照しながら説明する。
【００５９】
【実施例】
（実施例１）
図１に示すように、浴室１０２の天井裏部に設置するサウナ本体１０１は、図２に示すように、外装体１０４に浴室内の空気をサウナ本体に導入するための空気吸入口１０５及び、浴室１０２内の空気を吸入し加湿部へと送り、高温多湿になった空気を浴室内に送風するための送風機１０９、送風機１０９により浴室内から送られてきた空気を加湿するための加湿部１、加湿部により高温高湿になった空気を浴室１０２内に排出するための吹出し口１０６、加湿部に温水を循環させるための加湿水循環経路２、加湿水循環経路２内の温水を循環させるためのポンプ３、加湿水循環系路２上で加湿水を貯留するためのタンク４、熱源からの温水と加湿水循環経路２内を流れる加湿水を熱交換するための熱交換器５、タンク４に水を供給するための給水口６を備えている。
【００６０】
送風機１０９により浴室内から空気吸入口１０５を通ってサウナ本体に導入された空気は加湿部１に送られ、加湿部１内部で高温高湿の状態となった後、吹出し口１０６を通って浴室１０２に排出される。
【００６１】
加湿部１は図３に示すように、透湿性を有する多孔性材料を管状に形成した中空糸７を複数束ね、略円筒形状のケーシング８内に収納し、その両端部において、中空糸７の内側と外側が連通しないように複数の中空糸７の間をエポキシなどの樹脂９により封止してある。ケーシング８には中空糸７の内側の流路に空気を供給するための空気導入部１０、中空糸７内部の流路から空気を排出するための空気排出部１１、中空糸７の外側でケーシング８の内側に温水を供給するための温水導入部１２、中空糸７の外側でケーシング８の内側を流通してきた温水を加湿部１の外部へと排出するための温水排出部１３が設けられている。
【００６２】
加湿水循環経路２上のタンク４からポンプ３により送水された加湿用の水は加湿水循環経路２に接続された熱交換器５により熱源から送られてくる高温の温水と熱交換を行い、高温になった後、加湿部１の温水導入部１１より加湿部１内の中空糸７の外側、ケーシング８の内側の流路へと供給される。高温の加湿水は加湿部１内で透湿性をもつ中空糸７の内側の流路を通る空気と熱交換及び水蒸気の移行を行って低温となった後、温水排出部１３を経て温水排出部１３に接続された加湿水循環経路２へと排出される。加湿水循環経路２に排出された加湿後の温水は再びタンク４へと戻される。
【００６３】
タンク４内に貯留された加湿水は加湿部１で空気に供給され徐々に水量が減少する。このため、タンク４内には水位センサー１４を設け、タンク４内の加湿水の水量が一定以下の量となった場合に給水口６より市水を供給し、タンク４内の加湿水が無くならないようにしている。
【００６４】
上記のような構成を取る事により、熱源で高温にされた温水を熱交換器５に循環させる事により加湿水循環経路２内の加湿水を昇温し、高温となった加湿水を加湿部１に供給する事で加湿部１に供給される浴室１０２内の空気を加熱および加湿し、高温高湿となった空気を吹出し口１０６から浴室１０２内へと排出することで浴室１０２内の雰囲気を高温高湿なミストサウナ状態にすることが可能となる。
【００６５】
また、従来の方式のミストサウナ装置では、加湿に使用されなかった加湿水は加湿部１に設けられたドレンパンにより装置外部に排出されるため熱交換器５により昇温された温水が無駄に外部に廃棄されていたが、本発明における加湿部１では加湿に使用されなかった加湿水は再び加湿水循環経路２により熱交換器５へと送られ、再び高温となった状態で加湿部１に戻されるため、熱源から供給される熱を無駄に廃棄することが無く、従来の方式に比べ効率よく加湿を行う事が可能となる。
【００６６】
また、加湿部１に中空糸７を用いる事で比較的コンパクトなサイズの加湿部１でありながら、空気と温水の熱交換面積を大きく取る事が可能となり、比較的大容量な加熱及び加湿を行う事が可能となる。
【００６７】
さらに、本実施例のように、送風機の吹出し側に中空糸を用いた加湿部を設置する事で、送風機の吹出し側で生じる風切音などの騒音を中空糸部で吸収し、サウナ装置の吹出し部における騒音を低減する効果がある。
【００６８】
なお、本実施例において、中空糸とケーシングを封止するための樹脂としてエポキシ系材料を用いたが、中空糸の内側の流路と中空糸の外側の流路を連通しないように封止出来れば良く、ウレタンやシリコンなどの樹脂を用いてもその作用効果に差異を生じず、なお望ましくは高温の温水にさらされた雰囲気でも封止部が中空糸及びケーシングから脱落しないものが好ましい。
【００６９】
また、本実施例では透湿性を有する中空糸の材料を多孔性の透湿膜として特に指定しなかったが、高分子電解質膜のような非多孔性で空気を透過せずに、水蒸気のみを選択的に透過する性質を有する材料であれば良く、その作用効果に差異を生じず、なお好ましくは、液体の温水が透過しない材料である事が望ましい。
【００７０】
また、本実施例においては中空糸の内側の流路に空気を、中空糸の外側でケーシングの内側の流路に温水を流通させる構成としたが、逆に中空糸の内側の流路に温水を、中空糸の外側でケーシングの内側の流路に加湿用の温水を流通させる構成としても良く、その作用効果に差異を生じず、なお好ましくは、それぞれの流路を流通する空気及び加湿用の温水の加湿部における圧力損失が極力小さくなる事が望ましく、このために中空糸の内外径及びケーシング内に収納する本数、ケーシングの内径などを内部を流通する空気及び温水の流量に合わせて最適化する事が望ましい。
【００７１】
また、本実施例では送風機の吹出し側に中空糸を設ける構造としたが、送風機の吸込み側に中空糸を設置する構成としても良く、その作用効果に差異を生じない。ただし、送風機の吸込み側に中空糸を設置した場合、送風機を通過する空気が高温高湿な状態となるため、送風機は高温高湿な空気が流通しても結露や加熱などを起こさないものを選択する必要が生じる。さらに、送風機の吹出し側で生じる騒音を低減させるために送風機の吹出し部からサウナ装置の吹出し部までの区間に騒音を低減させるための騒音低減手段を設ける必要が生じる。
【００７２】
（実施例２）
以下、本発明の実施例２について図を参照しながら詳細に説明する。なお、本実施例において、実施例１と同等の作用をもつものについては同一の符号を付し、その詳細な説明を省略する。
【００７３】
図４に示すのは本実施例におけるサウナ装置本体１０１の概略図である。浴室１０２内の空気をサウナ装置本体１０１に吸込む吸込み口１０５に吸込み空気の温度を測定する吸込み温度測定装置１５を、加湿部１により高温高湿となった空気を吹出す吹出し口１０６には吹出し温度測定装置１６及び吹出し空気の湿度を測定する吹出し湿度測定装置１７を、送風機１０９と加湿部１の連通部に浴室１０２から吸引された空気の風量を測定する風量測定装置１８及び送風圧力を測定する送風圧測定装置１９を、加湿水循環経路２上の加湿部１入口に加湿水入口温度測定装置２０を、加湿水循環系路２上の加湿部１出口に加湿水出口温度測定装置２１を、サウナ装置本体１０１の外部に浴室１０２外部の雰囲気温度を測定する外部温度測定装置２２を、熱源からの高温水供給経路における熱交換器５入口に熱交換器入口温度測定装置２３をそれぞれ設ける。
【００７４】
さらに、上述したそれぞれの測定装置が検知した温度、圧力、送風量を元に加湿水循環系路２内を循環する加湿水の循環量を算出する循環水量制御部２４を設けると共に、加湿水循環系路２内部を流通する循環量制御装置２５を加湿水循環経路２上に設ける。
【００７５】
サウナ装置本体１０１を運転した場合、吸込み温度測定装置１５、吹出し温度測定装置１６、吹出し湿度測定装置１７、風量測定装置１８、送風圧測定総理１９、加湿水入口温度測定装置２０、加湿水出口温度測定装置２１、外部温度測定装置２２及び熱交換器入口温度測定装置２３により測定した温度、圧力、送風量の各データは循環水量制御部２４に送られ、循環水量制御部２４内にて、各温度条件、圧力条件、送風量に応じて加湿部１における加湿量が最も多くなる加湿水循環量を算出する。算出に際しては、循環量制御部２４内にあらかじめ記憶された算出式を用いる。循環量制御部２４は、算出された加湿水循環量をもとに循環流量制御装置２５を操作し、加湿水循環系路２内を流通する加湿水の循環量を循環量制御部２４で算出した値へと変化させる。
【００７６】
図５に示すように、加湿水循環経路２中を流通する加湿水の循環流量を変化させた場合、熱交換器５出口部での加湿水の温度が変化するため、この影響を受けて、加湿部１における加湿量も変化する。加湿部１入口での加湿水の温度が一定の場合、加湿水の循環流量が多くなるのに伴って加湿部１での加湿量が増加する傾向となる。しかしながら、熱交換器５出口での加湿水の温度は加湿水の循環流量が増加することに伴って低くなる。加湿水の温度が低下した場合、加湿部における加湿量は加湿水の温度に伴って低下する傾向を示すため、加湿部１における加湿量はある循環流量を境に低下する傾向となる。このため、加湿部１における加湿量を最大とするためには加湿水の循環流量を最適な値とする必要が生じる。さらに上述した加湿量を最大にする為の最適加湿水循環量は、加湿部１に供給する空気の温度や湿度、風量や圧力、供給される温水の温度や外部の温度条件などによって変化する（図５中の条件▲１▼から条件▲２▼へ）。しかしながら、上述のような構成を取る事で、浴室内の雰囲気や熱源からの高温水の供給状態、浴室外の雰囲気の変動などが生じた場合でもホームサウナ装置から浴室内に供給される空気の状態を常に高温高湿な状態に保つ事が可能となり、より効率良く、多くの加湿量を供給する事が可能なホームサウナ装置が得られる。
【００７７】
なお、本実施例においては、循環流量制御部で加湿水循環系路内を循環する加湿水の循環量を決定する際にあらかじめ用意された算出式を用いて加湿水の循環量を決定する方式を取ったが、あらかじめ用意されたデータテーブルをもとに最適な循環流量を決定する方式を取っても良く、その作用効果に差異を生じない。
【００７８】
また、本実施例においては加湿水循環系路内を循環する加湿水流量を変化させるために循環水量制御装置を用いて加湿水流量を変化させる構成としたが、加湿水を循環させるためのポンプの駆動量を変化させる事によって加湿水の循環量を変化させる方式を取っても良く、その作用効果に差異を生じない。
【００７９】
【発明の効果】
以上の実施例から明らかなように、本発明によれば、比較的コンパクトで設置可能な浴室を限定せず、多くの加湿量を得ることができ、また、熱源からの熱を無駄に捨てる事が無く、効率の良い加熱加湿を行う事ができる浴室サウナ装置を提供できる。
【００８０】
また、本発明によれば、加湿部における加湿を効率よく行う事が可能となり、浴室に供給する加湿量を多くする事が可能となる。
【図面の簡単な説明】
【図１】本発明の実施例１の浴室におけるサウナ装置の設置状況を示す概略図
【図２】同実施例１におけるサウナ装置本体の概略図
【図３】同実施例１における加湿部の断面図
【図４】本発明の実施例２におけるサウナ装置本体の概略図
【図５】同実施例２における加湿水循環量に対する加湿量を示す図
【図６】本発明の従来例の浴室におけるサウナ装置の設置状況を示す概略図
【図７】同従来例におけるサウナ装置の概略図（正面図）
【図８】同従来例におけるサウナ装置の概略図（側面図）
【符号の説明】
１      加湿部
２      加湿水循環経路
３      ポンプ
４      タンク
５      熱交換器
６      給水口
７      中空糸
８      樹脂
９      ケーシング
１０    空気導入部
１１    空気排出部
１２    温水導入部
１３    温水排出部
１４    水位センサー
１５    吸込み温度測定装置
１６    吹出し温度測定装置
１７    吹出し湿度測定装置
１８    風量測定装置
１９    送風圧測定装置
２０    加湿水入口温度測定装置
２１    加湿水出口温度測定装置
２２    外部温度測定装置
２３    熱交換器入口温度測定装置
２４    循環水量制御部
２５    循環量制御装置
１０１  スチームサウナ本体
１０２  ユニットバスルーム
１０３  カウンタ部
１０４  外装体
１０５  空気吸入口
１０６  スチーム吹出口
１０７  噴出湯管
１０８  熱交換促進部材
１０９  ファンユニット
１１０  ドレンパン
１１１  排水口
１１２  湯噴出口
１１３  給湯口
１１４  定流量弁
１１５  電磁弁
【図１】
2005021427.tif 000003
【図２】
2005021427.tif 000004
【図３】
2005021427.tif 000005
【図４】
2005021427.tif 000006
【図５】
2005021427.tif 000007
【図６】
2005021427.tif 000008
【図７】
2005021427.tif 000009
【図８】
2005021427.tif 000010